(57)【要約】  携帯時計（１）は、第１の方向に回転軸（Ａ）を有する指針、輪列及び駆動源を含む第１の駆動機構（１０）と、前記第１の方向と異なる第２の方向に回転軸（Ｂ）を有する指針、輪列及び駆動源を含む第２の駆動機構（２０）と、を有し、前記第１の駆動機構と前記第２の駆動機構は、別々に設けられる。また、前記第１の方向及び前記第２の方向は、それぞれ、前記指針の回転軸が設けられる位置における文字板（２）の法線方向に沿った方向である。
2017051547.tif 000002
【特許請求の範囲】
【請求項１】
第１の方向に回転軸を有する指針、輪列及び駆動源を含む第１の駆動機構と、
前記第１の方向と異なる第２の方向に回転軸を有する指針、輪列及び駆動源を含む第２の駆動機構と、を有し、
前記第１の駆動機構と前記第２の駆動機構は、別々に設けられる、
携帯時計。
【請求項２】
前記第１の方向及び前記第２の方向は、それぞれ、前記指針の回転軸が設けられる位置における文字板の法線方向に沿った方向である、
請求項１に記載の携帯時計。
【請求項３】
前記第１の駆動機構及び前記第２の駆動機構は、それぞれ独立して、一体的に取付け及び取外しが可能である、
請求項１又は２に記載の携帯時計。
【請求項４】
互いに向きの異なる第１の取付面及び第２の取付面を備えた地板をさらに有し、
前記第１の駆動機構は、その基準面が前記第１の取付面に接するように固定され、
前記第２の駆動機構は、その基準面が前記第２の取付面に接するように固定される、
請求項３に記載の携帯時計。
【請求項５】
前記地板は、少なくとも第１の凹部及び第２の凹部を有し、前記第１の凹部の底面が前記第１の取付面であり、前記第２の凹部の底面が前記第２の取付面である、
請求項４に記載の携帯時計。
【請求項６】
前記第１の凹部及び前記第２の凹部は、共通の一の方向に対して、平行又はテーパ状となる壁面を有する、
請求項５に記載の携帯時計。
【請求項７】
前記第１の凹部と前記第２の凹部は、前記地板の互いに反対の面に設けられている、
請求項５又は６に記載の携帯時計。
【請求項８】
前記地板は、凹部である電池収容部をさらに有し、
前記電池収容部に収容される電池は、前記携帯時計の厚さ方向に対し、傾斜した姿勢で固定される、
請求項１乃至５のいずれかに記載の携帯時計。
【請求項９】
前記地板は、凹部である電池収容部をさらに有し、
前記電池収容部に収容される電池は、前記携帯時計の厚さ方向に対し、傾斜した姿勢で固定され、
前記電池収容部は、前記共通の一の方向に対して、平行又はテーパ状となる壁面を有する、
請求項６又は７に記載の携帯時計。
【請求項１０】
前記電池の上面を、前記電池収容部の開口側から見て手前となる外周位置において支持する第１の電池押さえと、
前記電池の側面を、前記電池収容部の開口側から見て奥側となる位置において押圧する第２の電池押さえをさらに有する、
請求項８又は９に記載の携帯時計。
【請求項１１】
延伸方向に対して斜めとなる直線状の先端が前記電池の下面に弾性的に接触する舌状の電極をさらに有する、
請求項８乃至１０のいずれかに記載の携帯時計。
【請求項１２】
前記第１の駆動機構及び前記第２の駆動機構は、それぞれ回路基板を有し、
前記第１の駆動機構の回路基板と、前記第２の駆動機構の回路基板は、ＦＰＣ（Flexible Printed Circuit）により接続される、
請求項１乃至１１のいずれかに記載の携帯時計。
【請求項１３】
前記第１の駆動機構の回路基板及び前記第２の駆動機構の回路基板は、それぞれ接地端子を有する、
請求項１２に記載の携帯時計。
【発明の詳細な説明】
【技術分野】
【０００１】
本発明は携帯時計に関する。
【背景技術】
【０００２】
従来、湾曲した文字板と、複数の指針軸とを有する携帯時計が知られている。【０００３】
下記特許文献１には、主針の指針軸と副針の指針軸が平行に設けられ、湾曲した文字板と副針が平行でない腕時計が記載されている。
【先行技術文献】
【特許文献】
【０００４】
【特許文献１】スイス国特許発明第１９７６３４号明細書
【発明の概要】
【発明が解決しようとする課題】
【０００５】
特許文献１に記載の腕時計では、湾曲したケースによって独特の美観が生み出されているものの、指針の回転面と盤面が平行でなく、不自然な印象を与える場合もあった。ここで、指針の回転軸の方向を盤面に従って傾斜させることは不可能ではないが、傾きの異なる回転軸に動力を伝達する機構を狭いスペースで構成することは極めて困難であり、仮に実現したとしても製品の製造コストが著しく増大してしまう。【０００６】
本発明はかかる事情に鑑みてなされたものであり、その目的は、容易に製造でき、指針の回転軸の方向が盤面に従って傾斜した携帯時計を提供することである。
【課題を解決するための手段】
【０００７】
上記課題を解決すべく本出願において開示される発明は種々の側面を有しており、それら側面の代表的なものの概要は以下の通りである。【０００８】
（１）携帯時計は、第１の方向に回転軸を有する指針、輪列及び駆動源を含む第１の駆動機構と、前記第１の方向と異なる第２の方向に回転軸を有する指針、輪列及び駆動源を含む第２の駆動機構と、を有し、前記第１の駆動機構と前記第２の駆動機構は、別々に設けられる。【０００９】
（２）（１）において、前記第１の方向及び前記第２の方向は、それぞれ、前記指針の回転軸が設けられる位置における文字板の法線方向に沿った方向である、携帯時計。【００１０】
（３）（１）又は（２）において、前記第１の駆動機構及び前記第２の駆動機構は、それぞれ独立して、一体的に取付け及び取外しが可能である、携帯時計。【００１１】
（４）（３）において、互いに向きの異なる第１の取付面及び第２の取付面を備えた地板をさらに有し、前記第１の駆動機構は、その基準面が前記第１の取付面に接するように固定され、前記第２の駆動機構は、その基準面が前記第２の取付面に接するように固定される、携帯時計。【００１２】
（５）（４）において、前記地板は、少なくとも第１の凹部及び第２の凹部を有し、前記第１の凹部の底面が前記第１の取付面であり、前記第２の凹部の底面が前記第２の取付面である、携帯時計。【００１３】
（６）（５）において、前記第１の凹部及び前記第２の凹部は、共通の一の方向に対して、平行又はテーパ状となる壁面を有する、携帯時計。【００１４】
（７）（５）又は（６）において、前記第１の凹部と前記第２の凹部は、前記地板の互いに反対の面に設けられている、携帯時計。【００１５】
（８）（１）乃至（５）のいずれかにおいて、前記地板は、凹部である電池収容部をさらに有し、前記電池収容部に収容される電池は、前記携帯時計の厚さ方向に対し、傾斜した姿勢で固定される、携帯時計。【００１６】
（９）（６）又は（７）において、前記地板は、凹部である電池収容部をさらに有し、前記電池収容部に収容される電池は、前記携帯時計の厚さ方向に対し、傾斜した姿勢で固定され、前記電池収容部は、前記共通の一の方向に対して、平行又はテーパ状となる壁面を有する、携帯時計。【００１７】
（１０）（８）又は（９）において、前記電池の上面を、前記電池収容部の開口側から見て手前となる外周位置において支持する第１の電池押さえと、前記電池の側面を、前記電池収容部の開口側から見て奥側となる位置において押圧する第２の電池押さえをさらに有する、携帯時計。【００１８】
（１１）（８）乃至（１０）のいずれかにおいて、延伸方向に対して斜めとなる直線状の先端が前記電池の下面に弾性的に接触する舌状の電極をさらに有する、携帯時計。【００１９】
（１２）（１）乃至（１１）のいずれかにおいて、前記第１の駆動機構及び前記第２の駆動機構は、それぞれ回路基板を有し、前記第１の駆動機構の回路基板と、前記第２の駆動機構の回路基板は、ＦＰＣ（Flexible Printed Circuit）により接続される、携帯時計。【００２０】
（１３）（１２）において、前記第１の駆動機構の回路基板及び前記第２の駆動機構の回路基板は、それぞれ接地端子を有する、携帯時計。
【発明の効果】
【００２１】
上記本発明の（１）の側面によれば、容易に製造でき、指針の回転軸の方向が盤面に従って傾斜した携帯時計が得られる。【００２２】
また、上記本発明の（２）の側面によれば、指針と文字板の干渉が防止され、指針のデザインや配置の自由度が向上した携帯時計が得られる。【００２３】
また、上記本発明の（３）の側面によれば、ユニット化された駆動機構を組み合わせることで容易に製造できる携帯時計が得られる。【００２４】
また、上記本発明の（４）の側面によれば、駆動機構の傾斜角度が正確に合わせられた携帯時計が得られる。【００２５】
また、上記本発明の（５）の側面によれば、薄型であり、組み立てが容易な携帯時計が得られる。【００２６】
また、上記本発明の（６）の側面によれば、射出成形が容易な地板を有する携帯時計が得られる。【００２７】
また、上記本発明の（７）の側面によれば、巻真と重畳する位置に副針を有する携帯時計が得られる。【００２８】
また、上記本発明の（８）の側面によれば、地板の湾曲に沿って地板の内部に電池を収めることができ、腕時計を薄型化することができる。【００２９】
また、本発明の（９）の側面によれば、地板の湾曲に沿って地板の内部に電池を収めることができ、腕時計を薄型化することができるだけでなく、さらに射出成形が容易な地板を有する携帯時計が得られる。【００３０】
また、本発明の（１０）の側面によれば、傾斜した盤面を持つ携帯時計において、電池を安定して固定するとともに、電池との導通を確実にする携帯時計が得られる。【００３１】
又、本発明の（１１）の側面によれば、傾斜した姿勢で収容された電池に対して電極が線接触し、安定した導通が得られるとともに、ねじれ方向の近さに起因する損傷を防止できる携帯時計が得られる。【００３２】
また、上記本発明の（１２）の側面によれば、駆動機構が安定して固定され、湾曲面に容易に配置することのできる回路基板を有する携帯時計が得られる。【００３３】
また、上記本発明の（１３）の側面によれば、駆動機構それぞれに安定した接地電位が供給された携帯時計が得られる。
【図面の簡単な説明】
【００３４】
【図１】本発明の実施形態に係る腕時計の外観の一例を示す図である。
【図２】本発明の実施形態に係る腕時計の断面図である。
【図３】本発明の実施形態に係る腕時計の内部構成を文字板側から示す平面図である。
【図４】本発明の実施形態に係る第１の駆動機構の一例を示す図である。
【図５】本発明の実施形態に係る腕時計の内部構成を裏蓋側から示す平面図である。
【図６】本発明の実施形態に係る第２の駆動機構の一例を示す図である。
【図７】本発明の実施形態に係る腕時計の内部構成を裏蓋側から示す平面図である。
【図８】図７のＡ−Ａ線による断面図である。
【発明を実施するための形態】
【００３５】
以下、本発明の実施の形態について、図面を参照しながら説明する。
【００３６】
図１は、本発明の実施形態に係る腕時計１の外観の一例を示す図である。同図には、腕時計１の胴６内に配置された文字板２と、時刻を示す指針である時針３ａ及び分針３ｂと、第１の副針４ａ、第２の副針４ｂ、第３の副針４ｃ及び第４の副針４ｄとが示されている。ここで、第１の副針４ａは１２時方向に設けられる副針であり、第２の副針４ｂは６時方向に設けられる副針であり、第３の副針４ｃは３時方向に設けられる副針であり、第４の副針４ｄは９時方向に設けられる副針である。第１の副針４ａ、第２の副針４ｂ、第３の副針４ｃ及び第４の副針４ｄは、時刻の２４時間表示や、クロノグラフ計時の表示に用いられる。また、胴６の側面には、腕時計１の使用者が種々の操作を行うための竜頭５ａ及びプッシュボタン５ｂが配置されている。
【００３７】
腕時計１には、文字板２を覆うようにガラス等の透明材料により形成された風防が胴６に取り付けられている。また、風防の反対側においては裏蓋が胴６に取り付けられている。本明細書では、以降、腕時計１の風防が配置される方向を表側、裏蓋が配置される方向を裏側と呼ぶ。
【００３８】
本実施形態に係る文字板２は、表側に向かって凸となるように緩やかに湾曲している。胴６も、文字板２と同様に湾曲しており、腕に装着された場合に腕の湾曲に沿う形状となっている。図１では、時針３ａ及び分針３ｂの回転軸Ａと、第１の副針４ａの回転軸Ｂと、第２の副針４ｂの回転軸Ｃと、第３の副針４ｃの回転軸Ｄと、第４の副針４ｄの回転軸Ｅとを示している。回転軸Ａ、回転軸Ｂ、回転軸Ｃ、回転軸Ｄ及び回転軸Ｅは、それぞれ文字板２の法線方向を向いている。ここで、回転軸Ｂ及び回転軸Ｃは、それぞれ回転軸Ａと平行でなく、回転軸Ａと回転軸Ｂの間の角度と、回転軸Ａと回転軸Ｃの間の角度はθである。角度θは、０°より大きく９０°より小さい角度であればよく、本実施形態に係る腕時計１においては数度程度である。本明細書では、回転軸Ａの方向を第１の方向、回転軸Ｂの方向を第２の方向と称する。なお、本実施形態に係る腕時計１では、回転軸Ａと回転軸Ｂの間の角度と、回転軸Ａと回転軸Ｃの間の角度は、共にθであるが、これらの角度は異なっていてもよい。回転軸Ａと回転軸Ｂの間の角度と、回転軸Ａと回転軸Ｃの間の角度とを異ならせることで、より多様なデザインを実現することができる。
【００３９】
図１に示した腕時計１のデザインは一例である。ここで示したもの以外にも、例えば、胴６を丸型でなく角型にしてもよいし、角度θを増減するように文字板２の湾曲を変更してもよく、竜頭５ａやプッシュボタン５ｂの有無、数、配置は任意である。また、本実施形態では、指針を時針３ａ及び分針３ｂの２本としているが、これに限定されず、秒針を追加してもよい。また、第１の副針４ａ、第２の副針４ｂ、第３の副針４ｃ及び第４の副針４ｄは、曜日、電池の残量、各種の表示を行う指針であってよい。副針の数は増減させてもよく、配置を変えてもよい。
【００４０】
図２は、本発明の実施形態に係る腕時計１の断面図である。同図では、地板３０に収められた第１の駆動機構１０及び第２の駆動機構２０と、第１の駆動機構１０を表側から押さえつけるように固定する第１の支持板４０と、第２の駆動機構２０を裏側から押さえつけるように固定する第２の支持板４１及び第３の支持板４２が図示されている。第１の駆動機構１０は、第１の指針軸１１を有し、第２の駆動機構２０は、第２の指針軸２１を有する。
【００４１】
本実施形態に係る腕時計１は、第１の方向に回転軸Ａを有する指針、輪列及び駆動源を含む第１の駆動機構１０と、第１の方向と異なる第２の方向に回転軸Ｂを有する指針、輪列及び駆動源を含む第２の駆動機構２０と、を有する。ここで、第１の駆動機構１０と第２の駆動機構２０は、別々に設けられる。第１の駆動機構１０は、時針３ａ及び分針３ｂの指針軸である第１の指針軸１１を含み、第１の指針軸１１は、輪列を介して駆動源によって駆動される。また、第２の駆動機構２０は、第１の副針４ａの指針軸である第２の指針軸２１を含み、第２の指針軸２１は、輪列を介して、第１の駆動機構１０の駆動源とは独立した第２の駆動機構２０の駆動源によって駆動される。第１の駆動機構１０の指針（時針３ａ及び分針３ｂ）と、第２の駆動機構２０の指針（第１の副針４ａ）とは、同一盤面上に設けられる。すなわち、第１の駆動機構１０の指針と第２の駆動機構２０の指針は、複数の盤面にそれぞれ設けられる指針ではなく、同一盤面上に設けられて、同時にユーザの視界に入る指針である。
【００４２】
このように、時針３ａ及び分針３ｂを駆動する第１の駆動機構１０と、第１の副針４ａを駆動する第２の駆動機構２０とを別体で設けることで、向きの異なる複数の指針軸に動力を伝達する機構を設ける必要がなくなり、製造の容易性を確保しつつ、指針の回転軸の方向が盤面に従って傾斜した携帯時計を得ることができる。複数の指針軸について駆動機構を分離する構成は、複数の駆動源を搭載することが困難な機械式携帯時計においては採用が難しい構成であり、電子式携帯時計において特に有効な構成となる。
【００４３】
前述のように、第１の方向（回転軸Ａの方向）及び第２の方向（回転軸Ｂの方向）は、それぞれ、指針の回転軸が設けられる位置における文字板２の法線方向に沿った方向である。なお、図２では、文字板２を取り外した状態での断面図を示しているが、文字板２は地板３０及び第１の支持板４０を覆うように、地板３０及び第１の支持板４０の湾曲に沿って設けられる。第１の方向（回転軸Ａの方向）及び第２の方向（回転軸Ｂの方向）は、それぞれ、指針の回転軸が設けられる位置における第１の支持板４０の法線方向に沿った方向であるともいえる。ここで、法線方向に沿った方向とは、法線方向と一致する方向はもとより、法線方向を中心に一定の範囲内、例えば±５°の範囲内、に収まる方向をいうものとする。なお、当該一定の範囲は±５°以外の範囲であってもよく、指針と文字板の干渉回避や、指針を駆動する輪列の配置可能性といった観点から定められてよい。
【００４４】
第１の方向及び第２の方向が、それぞれ、指針の回転軸が設けられる位置における文字板の法線方向に沿った方向であることにより、指針軸が文字板とおおよそ直交する方向に設けられることとなり、複数の指針はそれぞれ文字板に対しておおよそ平行に設けられることとなる。そのため、指針と文字板が干渉することが防止され、指針のデザインや配置の自由度が向上する。
【００４５】
本実施形態に係る腕時計１において、第１の駆動機構１０及び第２の駆動機構２０は、それぞれ独立して、一体的に取付け及び取外しが可能である。第１の駆動機構１０及び第２の駆動機構２０は、それぞれ独立して駆動するユニット部品であり、本実施形態に係る腕時計１は、ユニット化された駆動機構を組み合わせることで容易に製造できる。この点について、後に図３〜６を参照して詳細に説明する。
【００４６】
本実施形態に係る腕時計１は、互いに向きの異なる第１の取付面３１ａ及び第２の取付面３２ａを備えた地板３０を有する。第１の駆動機構１０は、その基準面が第１の取付面３１ａに接するように固定される。ここで、第１の駆動機構１０の基準面とは、第１の指針軸１１が突出する側の反対側に広がる平坦面である。また、第２の駆動機構２０は、その基準面が第２の取付面３２ａに接するように固定される。ここで、第２の駆動機構２０の基準面とは、第２の指針軸２１が突出する側に広がる平坦面である。
【００４７】
本実施形態に係る地板３０の第１の取付面３１ａと第１の駆動機構１０の基準面及び第２の取付面３２ａと第２の駆動機構２０の基準面は、それぞれ互いに平坦面であり、両面が接するように第１の駆動機構１０及び第２の駆動機構２０を地板３０に取り付けることで、第１の駆動機構１０及び第２の駆動機構２０の傾斜角度を正確に合わせられる。ここで、第１の取付面３１ａと第２の取付面３２ａは、互いにθだけ傾いた面として地板３０に設けられているため、第１の取付面３１ａと第１の駆動機構１０の基準面とが接するように第１の駆動機構１０を固定し、第２の取付面３２ａと第２の駆動機構２０の基準面とが接するように第２の駆動機構２０を固定することで、回転軸Ａと回転軸Ｂ及び回転軸Ｃとの間の角度がそれぞれθとなる。仮に、このような第１の取付面３１ａ及び第２の取付面３２ａを設けることなく、組み立て工程において第１の駆動機構１０及び第２の駆動機構２０の取付け角度を逐一調整する場合、第１の指針軸１１及び第２の指針軸２１が文字板２（又は第１の支持板４０）に対してそれぞれ直交し、回転軸Ａと回転軸Ｂ及び回転軸Ｃとの間の角度がそれぞれθとなるように、第１の駆動機構１０及び第２の駆動機構２０を取付けなければならず、組み立てが煩雑となる。この点、本実施形態に係る腕時計１では、第１の駆動機構１０及び第２の駆動機構２０の取付けに際して取付け角度の調整が不要であり、組み立てが容易である。なお、第１の取付面３１ａと第１の駆動機構１０の基準面及び第２の取付面３２ａと第２の駆動機構２０の基準面は、それぞれ平坦面でなくてもよく、互いにかみ合うように凹凸が設けられた面であってもよい。
【００４８】
本実施形態に係る地板３０は、少なくとも第１の凹部３１及び第２の凹部３２を有し、第１の凹部３１の底面が第１の取付面３１ａであり、第２の凹部３２の底面が第２の取付面３２ａである。第１の駆動機構１０は、地板３０の第１の凹部３１に収めるようにして取付けられ、第２の駆動機構２０は、第２の凹部３２に収めるようにして取付けられる。第１の駆動機構１０を第１の凹部３１に収めることで、第１の駆動機構１０の基準面と第１の凹部３１の底面（第１の取付け面３１ａ）が接することとなる。また、第２の駆動機構２０を第２の凹部３２に収めることで、第２の駆動機構２０の基準面と第２の凹部３２の底面（第２の取付け面３２ａ）が接することとなる。
【００４９】
第１の駆動機構１０及び第２の駆動機構２０を、それぞれ、第１の凹部３１及び第２の凹部３２に収めることで、第１の駆動機構１０及び第２の駆動機構２０を平坦な地板に取り付ける場合よりも厚みが抑えられ、腕時計１全体の厚みを抑えることができる。また、第１の凹部３１及び第２の凹部３２によって、地板３０における第１の駆動機構１０及び第２の駆動機構２０の取付け位置と取付け方向が示されることとなり、組み立てが容易となる。
【００５０】
第１の凹部３１及び第２の凹部３２は、共通の一の方向に対して、平行又はテーパ状となる壁面を有する。より具体的には、第１の凹部３１は、第１の方向（回転軸Ａの方向）に対して、テーパ状となる第１の壁面３１ｂを有する。また、第２の凹部３２は、第１の方向（回転軸Ａの方向）に対して、テーパ状となる第２の壁面３２ｂを有する。第１の壁面３１ｂは表側に向かって広がるテーパを有し、第２の壁面３２ｂは裏側に向かって広がるテーパを有している。
【００５１】
仮に、第１の凹部３１の壁面と第２の凹部３２の壁面が、その取付面（第１の取付面３１ａ及び第２の取付面３２ａ）に対して垂直に設けられる場合、地板３０を射出成形により製造することを考えると、成形された地板３０を型から抜くことが難しくなり製造困難となる。この点、本実施形態に係る地板３０のように、第１の凹部３１及び第２の凹部３２が、共通の一の方向に対して、平行又はテーパ状となる壁面を有することで、成形された地板３０を当該一の方向に型から抜くことができるから、地板３０を射出成形で製造することができ、地板３０の生産性が向上し、より短時間に、安価に地板３０を製造することができる。また、第１の凹部３１及び第２の凹部３２が、共通の一の方向に対して、いわゆる抜き勾配をもったテーパ状の壁面を有することで、射出成形がより容易となる。
【００５２】
本実施形態に係る地板３０において、第１の凹部３１と第２の凹部３２は、地板３０の互いに反対の面に設けられる。より具体的には、第１の凹部３１は地板３０の表側に設けられ、第２の凹部３２は地板３０の裏側に設けられる。この点について、図３を参照してより詳しく説明する。
【００５３】
図３は、本発明の実施形態に係る腕時計１の内部構成を文字板２側から示す平面図である。同図では、３時方向を上に向けた腕時計１の内部構造を文字板２側から図示している。第１の駆動機構１０は、巻真１２を有する。巻真１２は、主に第１の指針軸１１に関する時刻合わせに用いられる。図３においては図示していないが、巻真１２の先端には、図１に示す竜頭５ａが取付けられる。
【００５４】
図３に示すように、第１の駆動機構１０は巻真１２を有し、巻真１２は外側に突出する。また、図２に示す第１の支持板４０は、第１の駆動機構１０を均等に押さえるため、平面視において、第１の駆動機構１０の外形から外側にはみ出る場合がある。ここで、仮に、全ての駆動機構を地板３０の同じ側から取り付けることとすると、各駆動機構の外形から外側に突出したり、はみ出たりする部材との干渉を避けるため、駆動機構間に余裕を持たせて配置する必要が生じて、腕時計を大きくしなければならなくなる。この点、本実施形態に係る腕時計１のように、第１の凹部３１が表側に設けられ、第２の凹部３２が裏側に設けられて、第１の駆動機構１０を表側から取付け、第２の駆動機構２０を裏側から取り付けるようにすることで、駆動機構間の距離を最小にすることができ、腕時計１をコンパクトにすることができる。
【００５５】
図４は、本発明の実施形態に係る第１の駆動機構１０の一例を示す図である。第１の駆動機構１０は、第１の指針軸１１、巻真１２、第１のステップモータ１３及び第１の輪列１４を有する。第１の指針軸１１は第１の方向に回転軸Ａを有し、時針３ａ及び分針３ｂの指針軸である。また、第１の輪列１４は、第１の駆動機構１０が有する輪列であり、第１のステップモータ１３は、第１の駆動機構１０の駆動源である。第１のステップモータ１３の駆動力は、第１の輪列１４により第１の指針軸１１に伝達される。
【００５６】
第１の駆動機構１０を独立したユニットとすることで、他の時計について駆動機構を転用することができる。また、第１の駆動機構１０単体で動作確認を行って、製品に組み込む前に不良品を排除することができるため、製品歩留まりを効率良く向上させることができる。
【００５７】
図５は、本発明の実施形態に係る腕時計１の内部構成を裏蓋側から示す平面図である。同図は、３時方向を上に向けた腕時計１の内部構造を裏蓋側から図示している。同図では、第２の駆動機構２０の配置を示すため、第２の支持板４１及び第３の支持板４２は図示していない。本実施形態において、第２の駆動機構２０は、１２時方向、３時方向及び６時方向にそれぞれ配置される。すなわち、第２の駆動機構２０は、第１の副針４ａ、第２の副針４ｂ、第３の副針４ｃ及び第４の副針４ｄに対応する位置にそれぞれ配置される。また、同図には、第１の駆動機構１０及び第２の駆動機構２０の電力源となる電池が収容される電池収容部２６が図示されている。電池収容部２６は、第２の駆動機構２０と同じ角度又は近似する角度で設けられている。なお、本実施形態に係る腕時計１では、電池収容部２６に収容される電池は一次電池であるが、これを二次電池として、さらに太陽電池により発電できるようにしてもよい。また、本実施形態では電池収容部２６に収容される電池はボタン型電池であり、電池は、電池収容部２６に収容された状態でその表面の刻印が視認できる向きに収容される。通常、ボタン型電池の刻印は正極面になされるので、収容された電池は図５の奥側（表側）が負極となり、同図の手前側（裏側）及び側面が正極となる。
【００５８】
電池収容部２６の奥側には、負極電極２６ａが設けられる。負極電極２６ａは、電池収容部２６に収容された電池の負極面に接触することにより電気的な接続を取るものであるが、本実施形態では、舌状の金属板を、電池収容部２６の奥側から手前側に向けて角度をつけて折り曲げて形成されており、電池収容部２６に電池を収容した際に、その負極に押し付けられて弾性的に接触する。そして、負極電極２６ａの先端は、負極電極２６ａの延伸方向に対して垂直ではなく、斜めとなる直線状である。
【００５９】
この理由は、本実施形態のように、腕時計１自体が湾曲しているため、電池が腕時計１の厚さ方向（表側と裏側を結ぶ方向）に対し、傾斜した姿勢で電池収容部２６に収容されることにある。図５に示した例では、電池は、概ね６時と９時の間に配置されるが、図１より明らかな通り、この位置では電池は表側から見て、６時方向が下がるように傾斜することになる。そして、負極電極２６ａの延びる向きは、図５に示されるように、必ずしも電池の傾斜方向と一致せず、また負極電極２６ａは、製造の都合上、手前側に向けて（すなわち、腕時計１の厚さ方向裏側に向けて）折り曲げられ、電池の傾斜方向に合致したものではない。そのため、単純に負極電極２６ａの先端を、その延伸方向に対し垂直となる直線形状とすると、負極電極２６ａの先端は電池の負極面と、その角で点接触し、接触が不安定であったり、負極電極２６ａにねじれ方向の力が作用することによる損傷が生じたりすることが懸念される。そのため、負極電極２６ａの先端を適切な角度で斜めとなる直線状に加工し、負極電極２６ａが電池の負極と接触した際に、負極電極２６ａの先端が線接触するようにしている。なお、本実施形態では、負極電極２６ａの先端は、１２時−６時方向と平行とされているが、これは、電池の傾斜方向が、表側から見て６時方向に下がる向きであるためである。
【００６０】
第１の駆動機構１０及び第２の駆動機構２０は、それぞれ第１の回路基板１５及び第２の回路基板２２を有し、第１の回路基板１５と、第２の回路基板２２は、ＦＰＣ（Flexible Printed Circuit）２３により接続される。ここで、第１の回路基板１５及び第２の回路基板２２は、いわゆるリジット基板であり、剛性を有し、力を加えてもほとんど歪まない。一方、ＦＰＣ２３は可撓性を有し、折り曲げることが出来る。第１の回路基板１５、第２の回路基板２２及びＦＰＣ２３は、一体でいわゆるリジットフレキシブル基板（rigid flexible printed wiring board）を構成する。
【００６１】
仮に、一枚のリジット基板により第１の駆動機構１０及び第２の駆動機構２０の回路基板を構成することとすると、湾曲した胴６の内部に隙間なく回路基板を収めることが困難となり、胴６の内部に活用されない空間が生じてしまい、時計の厚みが不必要に増してしまう。一方、第１の回路基板１５と第２の回路基板２２の全体を可撓性の回路で構成すると、互いに傾斜して配置される第１の駆動機構１０及び第２の駆動機構２０が安定して固定されなくなり、組み立てが煩雑となる。この点、本実施形態に係る腕時計１のように、ＦＰＣ２３で接続された第１の回路基板１５と第２の回路基板２２を用いることで、湾曲した胴６内に回路基板を隙間無く配置でき、第１の駆動機構１０及び第２の駆動機構２０をそれぞれ正しい傾斜角度で安定して固定することができる。
【００６２】
第１の回路基板１５及び第２の回路基板２２は、それぞれ接地端子２４を有する。接地端子２４が駆動機構毎、すなわちステップモータ毎に複数箇所に設けられることで、駆動機構それぞれに安定した接地電位が供給される。これにより、第１の回路基板１５及び第２の回路基板２２に設けられたモータ駆動ＩＣへの供給電位が安定し、静電気等に対する耐性が向上する。また、第１の回路基板１５及び第２の回路基板２２がそれぞれ有する接地端子２４の裏側（接地端子２４が設けられる面と対向する面側）には、ステップモータへ信号を送る接続端子が設けられる（不図示）。接地端子２４による接地は、第２の支持板４１が地板３０にネジ止めされることで確保され、この際に回路基板がステップモータに押し付けられ、ステップモータと接続端子の接続も確保されることとなる。このような構成により、ステップモータと回路基板の接続及び接地の確保を同時に行うことができる。
【００６３】
図６は、本発明の実施形態に係る第２の駆動機構２０の一例を示す図である。第２の駆動機構２０は、第２の指針軸２１、第２のステップモータ２７及び第２の輪列２８を有する。第２の指針軸２１は第２の方向に回転軸Ｂを有し、第１の副針４ａの指針軸である。また、第２の輪列２８は、第２の駆動機構２０が有する輪列であり、第２のステップモータ２７は、第２の駆動機構２０の駆動源である。第２のステップモータ２８の駆動力は、第２の輪列２８により第２の指針軸２１に伝達される。
【００６４】
第２の駆動機構２０を独立したユニットとすることで、他の時計について駆動機構を転用することができる。また、第２の駆動機構２０単体で動作確認を行って、製品に組み込む前に不良品を排除することができるため、製品歩留まりを効率良く向上させることができる。
【００６５】
本実施形態に係る腕時計１は、以下の工程により組み立てられる。はじめに、地板３０の第１の凹部３１に第１の駆動機構１０を収める。そして、第１の駆動機構１０を押さえるように、第１の支持板４０を地板３０に対して仮止めする。ここで、第１の支持板４０はフックを有してよく、当該フックを地板３０に掛けることで仮止めが行なわれてよい。これにより、第１の駆動機構１０が第１の凹部３１から脱落することがなくなり、地板３０を裏返して次の作業に移ることができる。
【００６６】
次に、地板３０の第２の凹部３２に第２の駆動機構２０を収める。そして、第１の回路基板１５、第２の回路基板２２及びＦＰＣ２３を取付け、それらを覆って、第２の駆動機構２０を押さえるように、第２の支持板４１を地板３０にネジ止めする。その後、仮止めされていた第１の支持板４０を地板３０にネジ止めする。また、第２の支持板４１を覆うように、内部構造を隠す第３の支持板４２を地板３０にネジ止めする。
【００６７】
図７は、本発明の実施形態に係る腕時計１の内部構成を裏蓋側から示す平面図である。同図では、電池収容部２６に電池２６ｂを収容し、第２の支持板４１及び第３の支持板４２を取り付けた状態における内部構成を裏蓋側から示している。ただし、図７では第２の支持板４１は第３の支持板４２に隠れて見えない。また、図８は、図７のＡ−Ａ線による断面図である。
【００６８】
電池２６ｂは、前述したとおり、表側から見て６時方向が下がるように傾いた状態で電池収容部２６内に配置される。この時の電池２６ｂの平坦面（負極面又は正極面）に対する垂線は、概ね回転軸Ｃと平行である。電池２６ｂが傾斜して配置されることで、地板３０の湾曲に沿って地板３０の内部に電池２６ｂを収めることができ、腕時計１を薄型化することができる。例えば、本実施形態のように、地板３０が１２時−６時方向について湾曲しており、第１の駆動機構１０を腕時計１の３時方向から９時方向にかけてまたがるように設ける場合においては、電池２６ｂを第１の駆動機構１０と干渉しない位置に配置することが、腕時計１の薄型化の観点からは望ましいが、かかる位置は地板３０がその湾曲により、腕時計１の厚さ方向に対し傾斜することになるから、電池２６ｂを地板３０の傾斜に合わせて傾いた状態で配置することにより、腕時計１が薄型化されることになる。さらに、本実施形態のように、腕時計１の１２時方向及び６時方向に第２の駆動機構２０が設けられている場合には、電池２６ｂは、これら第２の駆動機構とも干渉しない位置に配置することが望ましく、その配置は、１２時と３時の間の位置、３時と６時の間の位置、６時と９時の間の位置及び９時と１２時の間の位置のいずれかとなるが、本実施形態では、６時と９時の間の位置としている。
【００６９】
電池２６ｂは、電池収容部２６内に第１の電池押さえ２６ｃ及び第２の電池押さえ２６ｄにより脱離することが無いよう弾性的に固定される。第１の電池押さえ２６ｃは、電池２６ｂの正極面の外周の一部を正極面側から支持する金属板であり、本実施形態では、図７で見て電池２６ｂの左上側（すなわち、電池２６ｂの中心から見て４時から５時の方向）を支持している。第２の電池押さえ２６ｄは、電池２６ｂの側面を第１の電池押さえ２６ｃに向かう向きに弾性的に押し付ける。第２の電池押さえ２６ｄは、概ね、電池２６ｂの中心に対して第１の電池押さえ２６ｃの反対側に設けられることが望ましく、本実施形態では、図７で見て電池２６ｂの右下側（すなわち、電池２６ｂの中心から見て１０時から１１時の方向）に設けられている。ここでは、電池押え２６ｄは適宜の形状の金属板に曲げ加工を施すことにより作成されており、腕時計１の厚さ方向に平行な舌状の金属板が、その弾性により、図中白抜き矢印に示した方向に電池２６ｂの側面を押圧するものである。電池押え２６ｄには、電池２６ｂの脱離を防ぐために、部分的に電池２６ｂの正極面にひっかかるように突出す突起２６ｇが設けられている。この第１の電池押さえ２６ｃ及び第２の電池押さえ２６ｄの配置は、電池２６ｂを安定して固定するとともに、正極における導通を確実にするよう工夫されており、その配置については後述する。
【００７０】
電池収容部２６は、地板３０に設けられた凹部であり、共通の一の方向に対して、平行又はテーパ状となる収容部壁面２６ｅを有する。ここでいう共通の一の方向は、前述した、第１の凹部３１及び第２の凹部３２における共通の一の方向と同一であり、本実施形態では、第１の方向（回転軸Ａの方向）を指している。したがって、電池収容部２６は、第１の方向（回転軸Ａの方向）に対して、テーパ状となる収容部壁面２６ｅを有する。電池収容部２６は、裏側に向かって開口しているため、収容部壁面２６ｅがテーパを有する場合には、その向きは、電池収容部２６が裏側に向かって広がる向きとなる。このテーパは、先の第１の凹部３１及び第２の凹部３２の場合と同じく、地板３０を射出成型する際のいわゆる抜き勾配であり、電池収容部２６が、共通の一の方向に対して、テーパ状の収容部壁面２６ｅを有することで、地板３０の射出成形がより容易となる。
【００７１】
電池収容部２６は、収容部底面２６ｆを有する。電池２６ｂは、その負極面（平坦面）が収容部底面２６ｆに接するように固定される。電池２６ｂの負極面及び収容部底面２６ｆは、それぞれ互いに平坦面であり、電池２６ｂは電池収容部２６に収容されるにあたり、その負極面が収容部底面２６ｆに接するように固定される。そのため、電池２６ｂの傾斜角度は収容部底面２６ｆの傾斜角度に一致する。この時、第２の電池押さえ２６ｄは、電池２６ｂの傾斜に対し、裏側（電池収容部２６の開口側）から見て奥側となる位置（表側から見て、手前となる位置）において、電池２６ｂの側面を押圧し、第１の電池押え２６ｃは、電池２６ｂの傾斜に対し、裏側から見て手前となる位置（表側から見て、奥側となる位置）において、電池２６ｂの正極を支持する位置に配置することが望ましい。
【００７２】
この理由を、図８を参照して説明する。同図に示すように、第２の電池押え２６ｄは、電池２６ｂを、裏側から見て奥側となる位置から、白抜き矢印で示すように横方向に押圧する。このとき、収容部底面２６ｆは、押圧方向に対し、裏側から見て手前に上がるように傾斜しているから、この押圧力は、電池２６ｂを裏側に向けて押し上げる作用を持つ。すなわち、電池２６ｂの第２の電池押え２６ｄと反対側の位置には、裏側に向かって、電池収容部２６から抜け出そうとする方向の力が働くが、かかる位置には、第１の電池押え２６ｃが設けられているから、結局、第２の電池押え２６ｄによる押圧力は、電池２６ｂを第１の電池押え２６ｃに強く押し付け、電池２６ｂを安定して固定する働きをもつことになる。さらに、これにより、電池２６ｂの正極は、第１の電池押え２６ｃと、第２の電池押え２６ｄの２カ所において強い力で接触するから、第１の電池押え２６ｃと第２の電池押え２６ｄの両方を電池２６ｂに対する正極端子として使用することで、導通を確実に取ることができる。
【００７３】
本実施形態の例では、裏側から見て電池２６ｂの１２時の位置が最も奥側となるから、第２の電池押え２６ｄを配置するべき位置は、電池２６ｂの１２時側の半周であり、９時の位置から１２時の位置を通り、３時の位置までの外周である。第２の電池押え２６ｄの位置が１２時の位置により近いほど、電池２６ｂを安定して固定し、正極との導通を確実に取る効果は高くなる。また、第１の電池押え２６ｃを配置するべき位置は、電池２６ｂの６時側の半周であり、３時の位置から６時の位置を通り、９時の位置までの外周である。本実施形態では、先に述べたように、第２の電池押え２６ｄは１０時から１１時の位置に、第１の電池押え２６ｃはその反対側となる４時から５時の位置に設けられている。
【００７４】
以上、本発明に係る実施形態について説明したが、この実施形態に示した具体的な構成は一例として示したものであり、本発明の技術的範囲をこれに限定することは意図されていない。例えば、本実施形態に係る腕時計１において、胴６や文字板２等は、滑らかに湾曲しているが、文字板２は鈍角に折れ曲がっていてもよい。その場合、文字板２は単一の盤面上に複数の平坦面を有することとなり、それぞれの平坦面に指針が設けられてよい。また、本実施形態として腕時計を例示したが、懐中時計等その他の携帯時計についても同様の構成が適用できる。当業者は、これら開示された実施形態を適宜変形してもよく、本明細書にて開示される発明の技術的範囲は、そのようになされた変形をも含むものと理解すべきである。
【図１】
2017051547.tif 000003
【図２】
2017051547.tif 000004
【図３】
2017051547.tif 000005
【図４】
2017051547.tif 000006
【図５】
2017051547.tif 000007
【図６】
2017051547.tif 000008
【図７】
2017051547.tif 000009
【図８】
2017051547.tif 000010
【国際調査報告】
2017051547.tif 000011
2017051547.tif 000012
2017051547.tif 000013
2017051547.tif 000014